(57)【要約】【課題】ＬＣＤなどにおいて、その表示を開始したときなどに新たな視聴覚効果を付加することにより、従来のＣＲＴにあったような個性的な表示を行えるようにすること。【解決手段】輝度制御およびコントラスト制御の可能なディスプレイ装置の制御方法であって、表示面における輝度およびコントラストが最も低い状態において所定の信号が入力されることにより、輝度またはコントラストが次第に高くなるように輝度制御またはコントラスト制御を開始し、輝度制御またはコントラスト制御を開始してから所定の時間Ｔ１の経過後に、輝度およびコントラストが設定値ＫＬとなるように制御する。【選択図】      図３
2006106267.tif 000002
【特許請求の範囲】
【請求項１】
輝度制御およびコントラスト制御の可能なディスプレイ装置の制御方法であって、
表示面における輝度およびコントラストが最も低い状態において所定の信号が入力されることにより、輝度またはコントラストが次第に高くなるように輝度制御またはコントラスト制御を開始し、前記輝度制御またはコントラスト制御を開始してから所定の時間の経過後に、輝度およびコントラストが設定値となるように制御する、
ことを特徴とするディスプレイ装置の制御方法。
【請求項２】
輝度制御およびコントラスト制御の可能なディスプレイ装置の制御方法であって、
表示面における輝度およびコントラストが設定された輝度およびコントラストとなっている状態において所定の信号が入力されることにより、輝度またはコントラストが次第に低くなるように輝度制御またはコントラスト制御を開始し、前記輝度制御またはコントラスト制御を開始してから所定の時間の経過後に、輝度およびコントラストが最も低い状態となるように制御する、
ことを特徴とするディスプレイ装置の制御方法。
【請求項３】
前記輝度制御または前記コントラスト制御を行っている間において、前記表示面にメッセージを表示する、
請求項１または２記載のディスプレイ装置の制御方法。
【請求項４】
輝度制御およびコントラスト制御の可能なディスプレイ装置の制御方法であって、
当該ディスプレイ装置を動作させるための動作モードが開始されることにより、当該ディスプレイ装置に対して外部から入力される入力画像信号の状態を判別するためのモード判別処理を開始し、且つ、輝度またはコントラストが次第に高くなるように輝度制御またはコントラスト制御を開始し、前記輝度制御またはコントラスト制御を開始してから所定の時間の経過後に輝度およびコントラストが設定値となるように制御するとともに、
前記モード判別処理が行われている間において、前記入力画像信号による表示面への表示を停止し且つ当該ディスプレイ装置において生成した画像であるスクリーン画像を表示する、
ことを特徴とするディスプレイ装置の制御方法。
【請求項５】
コンピュータと接続することによって前記コンピュータから入力される入力画像信号による画像を表示面に表示することの可能なディスプレイ装置であって、
前記表示面の輝度を制御する輝度制御部と、
前記表示面のコントラストを制御するコントラスト制御部と、
前記入力画像信号の状態を判別して表示モードを設定するためのモード判別処理を行うモード判別処理部と、
前記表示面に表示するためのスクリーン画像を生成するスクリーン画像生成部と、を有し、
当該ディスプレイ装置を動作させるための動作モードが開始されることにより、前記モード判別処理を開始し、且つ、前記表示面の輝度またはコントラストが次第に高くなるように前記輝度制御部または前記コントラスト制御部による制御を開始し、
前記モード判別処理が行われている間において、前記入力画像信号による前記表示面への表示を停止し且つ前記スクリーン画像を表示し、
前記モード判別処理が終了したときに、前記スクリーン画像に代えて前記入力画像信号による画像を前記表示面に表示する、
ことを特徴とするディスプレイ装置。
【発明の詳細な説明】
【技術分野】
【０００１】
本発明は、液晶ディスプレイ装置などのようにパーソナルコンピュータなどに接続されて使用されるディスプレイ装置およびその制御方法に関する。
【背景技術】
【０００２】
近年において、コンピュータやテレビなどの画像表示に用いられるディスプレイ装置は、奥行き寸法の大きいＣＲＴ（Cathod Ray Tube ；ブラウン管）から、ＬＣＤ（Liquid Crystal Display；液晶表示装置) やＰＤＰ（Plasma Display Panel；プラズマディスプレイ装置) などの薄型ディスプレイに移り変わってきた。薄型ディスプレイを用いることで、装置の設置スペースが少なくて済み、配置の自由度も増している。
【０００３】
しかし、永らく使用されてきたＣＲＴには薄型ディスプレイにはない良さがあり、その良さを薄型ディスプレイにも受け継ぐための努力がなされてきた。
【０００４】
例えば、ＬＣＤはその表示の応答時間（フレーム周期）がＣＲＴよりも長いため、ＮＴＳＣ方式の画像を表示した場合の特性がＣＲＴよりも劣ってしまう。これを解決するために、バックライトを選択的に点滅させたり、画像の動きを検出してその検出結果に基づいた信号を複数本のデータ電極に印加することが提案されている（特許文献１）。
【特許文献１】特開２００２−３２３８７６
【発明の開示】
【発明が解決しようとする課題】
【０００５】
上に述べたように、薄型ディスプレイの表示特性それ自体は種々の改良がなされ、ＣＲＴに劣らない画質が得られるようになってきた。
【０００６】
しかし、永年ＣＲＴを使用してきたユーザにとって、ＣＲＴに代えてＬＣＤを使用した場合に物足りないと感じることがしばしばある。例えば、ＣＲＴであれば、電源スイッチをオンにしたときに「ブ−ン」という音がしたり、画面が徐々に明るくなったりするが、ＬＣＤの場合には、そのような音もなく、直ぐに画面が明るくなるので、味気ないと感じることがある。
【０００７】
また、ＣＲＴのようでなくても、ＬＣＤにとって新たな視聴覚効果がともなえば、ＣＲＴとは違った意味での個性的な表示装置となる可能性がある。
【０００８】
本発明は、上述の問題に鑑みてなされたもので、ＬＣＤなどにおいて、その表示を開始したときなどに新たな視聴覚効果を付加することにより、従来のＣＲＴにあったような個性的な表示を行えるようにすることを目的とする。
【課題を解決するための手段】
【０００９】
本発明に係る制御方法は、輝度制御およびコントラスト制御の可能なディスプレイ装置の制御方法であって、表示面における輝度およびコントラストが最も低い状態において所定の信号が入力されることにより、輝度またはコントラストが次第に高くなるように輝度制御またはコントラスト制御を開始し、前記輝度制御またはコントラスト制御を開始してから所定の時間の経過後に、輝度およびコントラストが設定値となるように制御する。
【００１０】
また、表示面における輝度およびコントラストが設定された輝度およびコントラストとなっている状態において所定の信号が入力されることにより、輝度またはコントラストが次第に低くなるように輝度制御またはコントラスト制御を開始し、前記輝度制御またはコントラスト制御を開始してから所定の時間の経過後に、輝度およびコントラストが最も低い状態となるように制御する。
【００１１】
好ましくは、前記輝度制御または前記コントラスト制御を行っている間において、前記表示面にメッセージを表示する。
【００１２】
また、モード判別処理が行われている間において、前記入力画像信号による表示面への表示を停止し且つ当該ディスプレイ装置において生成した画像であるスクリーン画像を表示する。
【００１３】
また、前記モード判別処理が終了したときに、前記スクリーン画像に代えて前記入力画像信号による画像を前記表示面に表示する。
【００１４】
前記ディスプレイ装置は、バックライトを備えた液晶ディスプレイ装置であり、前記輝度制御部は、前記バックライトの輝度を制御する。
【００１５】
実質的に電源がオフであるスタンバイモードと実質的に電源がオンである前記動作モードとを切り換えるための操作スイッチが設けられており、前記操作スイッチを操作することによって前記動作モードを開始することが可能である。
【発明の効果】
【００１６】
本発明によると、ＬＣＤなどにおいて、その表示を開始したときなどに新たな視聴覚効果を付加することにより、従来のＣＲＴにあったような個性的な表示を行うことができる。
【発明を実施するための最良の形態】
【００１７】
図１は本発明に係る一実施形態のコンピュータシステム１を示す図、図２はディスプレイ装置４の機能構成を示すブロック図、図３はディスプレイ装置４の制御状態の例を示すタイミング図、図４はコントラスト制御の例を示すタイミング図、図５はフェードイン制御時に表示されるスクリーン画像ＦＳ１の例を示す図、図６はフェードアウト制御時に表示されるスクリーン画像ＦＳ２の例を示す図である。
【００１８】
図１において、コンピュータシステム１は、コンピュータ本体３、ディスプレイ装置４、キーボード６、マウス７、および図示しないプリンタなどからなる。これらの大半は一般的なパーソナルコンピュータによって構成することができる。
【００１９】
コンピュータ本体３は、その電源コード３ＣＢが電源コンセントに接続され、ＡＣラインから電源が供給される。ディスプレイ装置４についても、その電源コード４ＣＢが電源コンセントに接続され、ＡＣラインから電源が供給される。なお、ディスプレイ装置４の電源コード４ＣＢは、コンピュータ本体３に電源コンセントが設けられている場合に、それに接続してもよい。コンピュータ本体３とディスプレイ装置４との間には信号ケーブル４ＣＣが接続され、この信号ケーブル４ＣＣを介して、画像信号ＳＤ、音声信号ＳＡ、制御信号ＳＣなどがコンピュータ本体３からディスプレイ装置４に送られる。
【００２０】
コンピュータ本体３およびディスプレイ装置４には、電源スイッチＳＷ３，ＳＷ４がそれぞれ設けられている。これら電源スイッチＳＷ３，ＳＷ４は、それぞれの装置を、電源がオフであるスタンバイモードと実質的に電源がオンである動作モードとに切り換えるために使用される。例えば、ディスプレイ装置４がスタンバイモードであるときに電源スイッチＳＷ４を一回押すと、動作モードに切り換わり、動作モードであるときに電源スイッチＳＷ４を一回押すとスタンバイモードに切り換わる。なお、スタンバイモードでは、立ち上げに必要な電源は供給されているが、本来の処理動作の全部またはほとんどが停止した状態である。スタンバイモードは、スリープモード、待機モードなどと呼称されることもある。
【００２１】
図２に示すように、ディスプレイ装置４は、電源部１１、制御部１２、画像処理部１３、ＯＳＤ処理部１４、液晶パネル１５、バックライト制御部１６、バックライト１７、オーディオ部１８、スピーカ１９、および操作部２０などからなる。
【００２２】
電源部１１は、ディスプレイ装置４の各部に必要な電圧、例えば直流５Ｖ、直流３Ｖなどの電圧を供給するものである。電源コード４ＣＢが電源コンセントに接続されている限りは動作するが、スタンバイモードでは、電源部１１から供給される電流は最低限の極僅かである。ディスプレイ装置４における電源のオンまたはオフとは、特にことわらない限り、ＡＣラインのオンまたはオフをいうのではなく、電源部１１の動作状態において、動作モードとスタンバイモードとを切り換えることをいう。
【００２３】
制御部１２は、ＣＰＵ、ＲＯＭ、ＲＡＭなどを備えており、ディスプレイ装置４の各部を制御する。例えば、輝度やコントラストなどの調整を行うための制御や、操作部２０による操作入力に応じた制御などを行う。また、上に述べたように電源スイッチＳＷ４の押下に応じて動作モードとスタンバイモードとを切り換える。制御部１２には、輝度制御部３２、コントラスト制御部３３、およびフェード制御部３４が設けられている。
【００２４】
輝度制御部３２は、表示面ＨＧの輝度を制御する。輝度の制御に当たっては、バックライト制御部１６を制御してバックライト１７の輝度を制御する。また、必要に応じて、画像処理部１３における画像濃度を制御することによって輝度を制御する。輝度制御部３２それ自体の機能は従来から公知である。
【００２５】
コントラスト制御部３３は、表示面ＨＧのコントラストを制御する。コントラストの制御に当たっては、画像処理部１３におけるＲ（赤）、Ｇ（緑）、Ｂ（青）の各色の画像の濃度を制御する。コントラスト制御部３３それ自体の機能は従来から公知である。
【００２６】
フェード制御部３４には、スクリーン画像ＦＳを生成するスクリーン画像生成部３５が設けられている。スクリーン画像ＦＳは、例えば、文字や画像によるメッセージ、その他の種々の画像などである。スクリーン画像ＦＳは、適当なメモリに格納されており、表示の際にはそのデータがメモリから読み出される。フェード制御部３４は、輝度制御部３２、コントラスト制御部３３、およびスクリーン画像生成部３５を制御してフェードイン制御およびフェードアウト制御を行う。これについては後で述べる。
【００２７】
画像処理部１３は、コンピュータ本体３から入力される画像信号ＳＤに対して、必要な処理を施す。例えば、画像処理部１３にはモード判別部３１が設けられており、表示モードを設定するために画像信号ＳＤの状態を判別する。モード判別部３１は、例えばＤＤＣ（Display Data Channel）制御により、画像信号ＳＤに基づいて、画像の解像度、リフレッシュレート、極性などのモード判別を行う。判別の結果に合わせて、表示面ＨＧに適正な表示が行われるよう、画像の拡大、縮小、スムージング処理などが行われる。モード判別は、動作モードに切り換わったとき、画像信号ＳＤが変化したときなどに実行され、通常、数秒程度、例えば２秒程度で終了する。モード判別中であることを示す信号、またはモード判別が終了したことを示す信号が、制御部１２に送られる。
【００２８】
画像処理部１３は、また、制御部１２からの信号Ｓ３に基づいて、画像のコントラストの調整や輝度の調整を行う。コンピュータ本体３からの画像信号ＳＤは、画像処理部１３を通過して液晶パネル１５の表示面ＨＧに表示される。また、制御部１２の信号Ｓ３に基づいて、コンピュータ本体３からの画像信号ＳＤを一時遮断し、画像信号ＳＤによる画像が表示面ＨＧに表示されないような制御も行われる。
【００２９】
ＯＳＤ処理部１４は、コンピュータ本体３からの画像信号ＳＤによる画像（映像）とは別個に、それに重ねて、制御部１２からの信号Ｓ４に基づいた画像を液晶パネル１５の表示面ＨＧに表示するための処理（ＯＳＤ；On Screen Display)を行う。ＯＳＤ処理部１４それ自体の機能および構成は従来より公知である。
【００３０】
液晶パネル１５は、その表示面ＨＧにＲ，Ｇ，Ｂの三原色によるフルカラー画像を表示することの可能な表示パネルである。液晶パネル１５の表示面ＨＧは、バックライト１７による照明によって明るく表示される。バックライト１７は、１本または複数本の蛍光管を有した公知のものである。バックライト制御部１６は、バックライト１７に発光のための電力を供給するとともに、制御部１２からの信号Ｓ１に基づいてその電力を制御し、バックライト１７の輝度、つまり表示面ＨＧの輝度を調整する。信号Ｓ１は、例えば、デューティ比が可変の連続パルス信号である。信号Ｓ１のデューティ比に応じて、輝度が最低から最大まで連続的に調整される。
【００３１】
オーディオ部１８は、コンピュータ本体３からの音声信号ＳＡを増幅してスピーカ１９から音声出力する。音量や音質は制御部１２からの信号Ｓ２に基づいて制御される。また、コンピュータ本体３からの音声信号ＳＡに重ねて、または音声信号ＳＡに代えて、制御部１２からの信号Ｓ２に基づいた音声を出力する。
【００３２】
操作部２０には、上に述べた電源スイッチＳＷ４の他、コントラストや輝度などの手動による調整のためのボタンなどが含まれる。ユーザが操作部２０を操作することによって、輝度の設定値ＫＬおよびコントラストの設定値ＫＣが調整可能である。
【００３３】
次に、フェード制御部３４によるフェードイン制御およびフェードアウト制御について説明する。
【００３４】
フェードイン制御では、表示面ＨＧにおける輝度およびコントラストが最も低い状態において、すなわち例えばスタンバイモード時において、所定の信号、例えば電源スイッチＳＷ４を押すことにより動作モードに切り換わったことを示す信号が入力されることにより、輝度またはコントラストのいずれかまたはこれらの両方が次第に高くなるように輝度制御またはコントラスト制御を開始し、輝度制御またはコントラスト制御を開始してから所定の時間Ｔ１の経過後に、輝度およびコントラストが設定値ＫＬまたはＫＣとなるように制御する。
【００３５】
また、フェードイン制御の開始とともに、モード判別（モード判別処理）が開始される。モード判別が行われている間において、画像信号ＳＤによる表示面ＨＧへの表示が停止され、且つ、図５の画面ＨＧ１に示すように、スクリーン画像生成部３５で生成したスクリーン画像ＦＳ１が表示される。モード判別が終了すると、スクリーン画像ＦＳに代えて画像信号ＳＤによる画像が表示面ＨＧに表示される。
【００３６】
さらに、フェードイン制御の開始とともに、スピーカ１９から「ブーン」という擬音を音声出力する。この擬音は、ＣＲＴのディスプレイ装置の電源をオンにしたときに高圧回路部品から発せられる音を模したものである。
【００３７】
また、フェードアウト制御では、表示面ＨＧにおける輝度およびコントラストが設定された輝度およびコントラストとなっている状態、例えば通常の動作モード時において、所定の信号、例えば電源スイッチＳＷ４を押すことによりスタンバイモードに切り換わったことを示す信号が入力されることにより、輝度またはコントラストが次第に低くなるように輝度制御またはコントラスト制御を開始し、輝度制御またはコントラスト制御を開始してから所定の時間Ｔ２の経過後に、輝度およびコントラストが最も低い状態となるように制御する。
【００３８】
さらに、フェードアウト制御の開始とともに、スピーカ１９から「ヒューン」という擬音を音声出力する。この擬音は、ＣＲＴのディスプレイ装置の電源をオフにしたときに発せられる音を模したものである。
【００３９】
すなわち、図３に示すように、ディスプレイ装置４がスタンバイモードの状態で、時刻ｔ１で電源スイッチＳＷ４を押すと、フェードイン制御が開始される。表示面ＨＧの輝度がある値から徐々に高くなり、時間Ｔ１の経過した時刻ｔ１１において輝度が設定値ＫＬに達する。つまり、表示面ＨＧは、最初は黒色または極めて暗い状態であったものが、暗い灰色、明るい灰色、白色というように、徐々に明るくなっていく。この間において、モード判別部３１においてモード判別が行われる。
【００４０】
時間Ｔ１の間は、表示面ＨＧには、図５に示すスクリーン画像ＦＳ１が表示される。この例では、画面の中央に「Ｗｅｌｌｃｏｍｅ」と表示され、その下方にメッセージが表示されている。「Ｈｅｌｌｏｗ」と表示してもよい。ディスプレイ装置４の製造メーカの社名、ロゴ、キャッチフレーズ、コンセプト、ディスプレイ装置４の機種名、型名、愛称、仕様などを表示してもよい。また、時間Ｔ１の初期において、スピーカ１９から所定の音量で「ブーン」という擬音が出力される。
【００４１】
また、時間Ｔ１の間において、輝度制御に代えて、または輝度制御とともに、図４（Ａ）に示すコントラスト制御を行う。輝度制御に代えてコントラスト制御を行うときは、バックライト１７の輝度は所定の明るさ、例えば設定値ＫＬを維持しておく。
【００４２】
図４（Ａ）に示すように、コントラスト制御では、液晶パネル１５のＲ，Ｇ，Ｂの各色の画素の濃度が時間差で変化するように制御を行う。つまり、時刻ｔ１とほぼ同時である時刻ｔ２からＲの濃度を徐々に高くし、時刻ｔ３からＧの濃度を徐々に高くし、時刻ｔ４からＢの濃度を徐々に高くする。そして、時間Ｔ１の経過した時刻ｔ１１においてはそれらの濃度が設定値ＫＣに達しているようにする。なお、時刻ｔ２，ｔ３，ｔ４の時間差は、例えばそれぞれ３分の２秒である。
【００４３】
時刻ｔ１１になると、表示面ＨＧには、スクリーン画像ＦＳ１に代えてコンピュータ本体３からの画像信号ＳＤによる通常の画像が表示される。時間Ｔ１は、例えば２秒程度であるので、コンピュータ本体３を同時に立ち上げたときは、通常、時間Ｔ１の経過後にコンピュータ本体３から実質的な画像が送られてくる。したがって、フェードイン制御によると、コンピュータ本体３から実質的な画像が送られてくる前に、ディスプレイ装置４において生成したスクリーン画像ＦＳ１を輝度制御などを行いながら表示し、これとともに擬音を出力することとなる。
【００４４】
なお、電源スイッチＳＷ４をオンしてから実際にフェードイン制御が開始されるまでには、回路の立ち上がりのために数ミリ秒の時間を要する。
【００４５】
また、図３に示すように、ディスプレイ装置４が通常モードの状態で、時刻ｔ２１で電源スイッチＳＷ４を押すと、フェードアウト制御が開始される。表示面ＨＧの輝度が徐々に低くなり、時間Ｔ２の経過した時刻ｔ３１において輝度が最も低い状態となる。時刻ｔ３１において、例えばバックライト１７を消灯するなどにより輝度を零にしてもよい。
【００４６】
時間Ｔ２の間において、表示面ＨＧには、図６に示すスクリーン画像ＦＳ２が表示される。この例では、画面の中央に「Ｂｙｅ  Ｂｙｅ」と表示されている。ディスプレイ装置４の製造メーカの社名、ロゴなどを同時に表示してもよい。また、時間Ｔ２の初期において、スピーカ１９から所定の音量で「ヒューン」という擬音が出力される。
【００４７】
また、時間Ｔ２の間において、輝度制御に代えて、または輝度制御とともに、図４（Ｂ）に示すコントラスト制御を行う。
【００４８】
図４（Ｂ）に示すように、コントラスト制御では、時刻ｔ２２からＲの濃度を徐々に低くし、時刻ｔ２３からＧの濃度を徐々に低くし、時刻ｔ２４からＢの濃度を徐々に低くする。このようにすると、表示面ＨＧは、時刻ｔ２２から時刻ｔ２３の間において水色掛かった色になっていき、時刻ｔ２３から時刻ｔ２４の間において青色掛かった色になっていき、時刻ｔ２４から時刻ｔ３１の間において青色掛かった色が暗くなっていき、最後に黒色になる。
【００４９】
上に述べたように、電源スイッチＳＷ４をオンしたときにフェードイン制御を行うことにより、表示面ＨＧが最初から急に明るくなるのではなく徐々に明るくなっていき、また「ブーン」という音がするので、ＣＲＴを使用しているようなレトロな感覚を得ることができる。これによって、永年ＣＲＴを使用してきたユーザにとってＬＣＤを使用した場合の物足りなさを解消することができる。
【００５０】
また、コンピュータ本体３から画像が送られてくるまでの間に、ディスプレイ装置４において生成したスクリーン画像ＦＳ１を表示面ＨＧに表示するので、ディスプレイ装置４が立ち上げられたことをユーザが容易に認識できるとともに、ユーザに必要なメッセージを伝えることができ、また宣伝効果もある。
【００５１】
また、電源スイッチＳＷ４をオフしたときにフェードアウト制御を行うことにより、表示面ＨＧが急に暗くなるのではなく徐々に暗くなっていき、また「ヒューン」という音がするので、同じくレトロな感覚を得ることができる。
【００５２】
また、このように、コントラスト制御を行って種々の色を表示し、または種々の音を出力するなど、スクリーン画像ＦＳの内容、画面の色、輝度、音などを利用して種々の演出を行うことによって、個性的な表現を行うことができる。
【００５３】
本実施形態のディスプレイ装置４によると、その表示を開始したときなどに新たな視聴覚効果を付加することにより、個性あふれる新たな感じを演出することができる。
【００５４】
上に述べた実施形態において、時間Ｔ１、Ｔ２の長さは、種々設定することができる。設定値ＫＬ，ＫＣは種々設定することができる。設定値ＫＬ，ＫＣは、ユーザが通常に使用するときの輝度およびコントラストの設定値と一致させてもよい。設定値ＫＬ，ＫＣは、固定された値に設定するのではなく、ディスプレイ装置４の設置環境、コンピュータ本体３の種類、画像信号ＳＤの種類、内容、ユーザの好みなどに応じて変化するようにしてもよい。電源スイッチＳＷ４として、操作を行うごとにそのときの状態を保持する保持型スイッチを用いてよい。
【００５５】
コントラスト制御において、色の濃度（輝度）を高くしまたは低くする場合の色の順番やその増減曲線は種々のものを採用することができる。
【００５６】
上に述べた実施形態において、フェードイン制御において、輝度制御、コントラスト制御、スクリーン画像ＦＳの表示、音声の出力などを行ったが、これらのいずれかを省略してもよい。例えば、輝度制御のみ、コントラスト制御のみ、スクリーン画像ＦＳの表示のみ、音声の出力のみ、またはこれらの組み合わせなどとしてもよい。フェードアウト制御においても、いずれかまたは全部を省略し、種々の組み合わせを行ってもよい。
【００５７】
上に述べた実施形態において、電源スイッチＳＷ４のオンオフによってフェードイン制御およびフェードアウト制御を行ったが、他の信号によってそれらの制御を開始してもよい。例えば、ＡＣラインから電源が供給されたとき、コンピュータ本体３から起動または終了の指令がきたとき、コンピュータ本体３から動作モードまたはスタンバイモードへの移行の指令がきたとき、ディスプレイ装置４においてスタンバイモードに自動的に移行するときなどにおいて、上に述べた制御を行ってよい。
【００５８】
ＬＣＤ以外の種々の薄型ディスプレイ、その他のディスプレイ装置に適用することができる。その他、ディスプレイ装置４またはコンピュータシステム１の全体または各部の構成、形状、個数、処理内容、処理順序、動作タイミング、および画像の内容などは、本発明の趣旨に沿って適宜変更することができる。
【００５９】
以上説明した実施形態に関し、さらに以下の付記を開示する。
（付記１）  輝度制御およびコントラスト制御の可能なディスプレイ装置の制御方法であって、
表示面における輝度およびコントラストが最も低い状態において所定の信号が入力されることにより、輝度またはコントラストが次第に高くなるように輝度制御またはコントラスト制御を開始し、前記輝度制御またはコントラスト制御を開始してから所定の時間の経過後に、輝度およびコントラストが設定値となるように制御する、
ことを特徴とするディスプレイ装置の制御方法。
（付記２）  輝度制御およびコントラスト制御の可能なディスプレイ装置の制御方法であって、
表示面における輝度およびコントラストが設定された輝度およびコントラストとなっている状態において所定の信号が入力されることにより、輝度またはコントラストが次第に低くなるように輝度制御またはコントラスト制御を開始し、前記輝度制御またはコントラスト制御を開始してから所定の時間の経過後に、輝度およびコントラストが最も低い状態となるように制御する、
ことを特徴とするディスプレイ装置の制御方法。
（付記３）  前記輝度制御または前記コントラスト制御を行っている間において、前記表示面にメッセージを表示する、
付記１または２記載のディスプレイ装置の制御方法。
（付記４）  輝度制御およびコントラスト制御の可能なディスプレイ装置の制御方法であって、
当該ディスプレイ装置を動作させるための動作モードが開始されることにより、当該ディスプレイ装置に対して外部から入力される入力画像信号の状態を判別するためのモード判別処理を開始し、且つ、輝度またはコントラストが次第に高くなるように輝度制御またはコントラスト制御を開始し、前記輝度制御またはコントラスト制御を開始してから所定の時間の経過後に輝度およびコントラストが設定値となるように制御するとともに、
前記モード判別処理が行われている間において、前記入力画像信号による表示面への表示を停止し且つ当該ディスプレイ装置において生成した画像であるスクリーン画像を表示する、
ことを特徴とするディスプレイ装置の制御方法。
（付記５）  前記モード判別処理が終了したときに、前記スクリーン画像に代えて前記入力画像信号による画像を前記表示面に表示する、
付記４記載のディスプレイ装置の制御方法。                              
（付記６）  コンピュータと接続することによって前記コンピュータから入力される入力画像信号による画像を表示面に表示することの可能なディスプレイ装置であって、
前記表示面の輝度を制御する輝度制御部と、
前記表示面のコントラストを制御するコントラスト制御部と、
前記入力画像信号の状態を判別して表示モードを設定するためのモード判別処理を行うモード判別処理部と、
前記表示面に表示するためのスクリーン画像を生成するスクリーン画像生成部と、を有し、
当該ディスプレイ装置を動作させるための動作モードが開始されることにより、前記モード判別処理を開始し、且つ、前記表示面の輝度またはコントラストが次第に高くなるように前記輝度制御部または前記コントラスト制御部による制御を開始し、
前記モード判別処理が行われている間において、前記入力画像信号による前記表示面への表示を停止し且つ前記スクリーン画像を表示し、
前記モード判別処理が終了したときに、前記スクリーン画像に代えて前記入力画像信号による画像を前記表示面に表示する、
ことを特徴とするディスプレイ装置。
（付記７）  前記ディスプレイ装置は、バックライトを備えた液晶ディスプレイ装置であり、
前記輝度制御部は、前記バックライトの輝度を制御する、
付記項６記載のディスプレイ装置。
（付記８）  前記輝度制御部または前記コントラスト制御部による制御を開始してから所定の時間の経過後に輝度およびコントラストが設定値となるように制御する、
付記６または７記載のディスプレイ装置。
（付記９）  実質的に電源がオフであるスタンバイモードと実質的に電源がオンである前記動作モードとを切り換えるための操作スイッチが設けられており、
前記操作スイッチを操作することによって前記動作モードを開始することが可能である、
付記６または７記載のディスプレイ装置。
【産業上の利用可能性】
【００６０】
本発明は、液晶ディスプレイ装置、プラズマディスプレイ装置などの薄型ディスプレイ装置による表示のために利用することができる。
【図面の簡単な説明】
【００６１】
【図１】本発明に係る一実施形態のコンピュータシステムを示す図である。
【図２】ディスプレイ装置の機能構成を示すブロック図である。
【図３】ディスプレイ装置の制御状態の例を示すタイミング図である。
【図４】コントラスト制御の例を示すタイミング図である。
【図５】スクリーン画像の例を示す図である。
【図６】スクリーン画像の例を示す図である。
【符号の説明】
【００６２】
４  ディスプレイ装置
１２  制御部
１７  バックライト
３１  モード判別部（モード判別処理部）
３２  輝度制御部
３３  コントラスト制御部
３４  フェード制御部
３５  スクリーン画像生成部
ＨＧ  表示面
ＦＳ１，２  スクリーン画像（メッセージ）
ＳＤ  画像信号（入力画像信号）
ＳＡ  音声信号
ＳＷ４  電源スイッチ（操作スイッチ）
【図１】
2006106267.tif 000003
【図２】
2006106267.tif 000004
【図３】
2006106267.tif 000005
【図４】
2006106267.tif 000006
【図５】
2006106267.tif 000007
【図６】
2006106267.tif 000008